(57)【要約】【課題】集団確認活動に参加した作業予定者を適切に記録することができる集団確認活動支援システム、集団確認活動支援方法、及び集団確認活動支援プログラムを提供すること。【解決手段】本発明に係る集団確認活動支援システムは、複数の作業予定者を含む集団により行われる作業内容に対応した注意事項を集団により確認する集団確認活動において用いられる集団確認活動支援システムであって、複数の作業予定者のそれぞれの個人情報２２を取得する取得手段１１と、集団確認活動において、外部からの入力操作を検知する入力手段１２と、個人情報２２に基づいて、入力操作を行った入力者が複数の作業予定者のいずれであるかを判定する判定手段１３と、判定された作業予定者を集団確認活動の参加者として記憶装置２０に登録する登録手段１４と、を備える。【選択図】図１
2019174945.tif 000002
【特許請求の範囲】
【請求項１】
複数の作業予定者を含む集団により行われる作業内容に対応した注意事項を前記集団により確認する集団確認活動において用いられる集団確認活動支援システムであって、
前記複数の作業予定者のそれぞれの個人情報を取得する取得手段と、
前記集団確認活動において、外部からの入力操作を検知する入力手段と、
前記個人情報に基づいて、前記入力操作を行った入力者が前記複数の作業予定者のいずれであるかを判定する判定手段と、
前記判定された作業予定者を前記集団確認活動の参加者として記憶装置に登録する登録手段と、を備える、
集団確認活動支援システム。
【請求項２】
前記判定手段により前記入力者が前記複数の作業予定者に含まれないと判定された場合に、当該入力者に対して、前記個人情報の入力を要求する入力要求手段をさらに備える、
請求項１に記載の集団確認活動支援システム。
【請求項３】
前記個人情報は、前記作業予定者の生体情報を含み、
前記判定手段は、前記生体情報に基づいて前記入力者の判定を行う、
請求項１または２に記載の集団確認活動支援システム。
【請求項４】
前記記憶装置は、作業内容に対応した注意事項が規定された注意事項データを予め記憶し、
前記集団確認活動支援システムは、前記記憶装置に接続された出力手段をさらに備え、
前記入力手段は、前記作業予定者から作業内容の指定を受け付け、
前記出力手段は、前記注意事項データを参照し、前記指定された作業内容に対応した注意事項を出力する、
請求項１〜３のいずれか１項に記載の集団確認活動支援システム。
【請求項５】
前記入力手段は、タッチパネルの画面内に表示された入力領域に対する入力を検知した場合に、外部から前記入力操作があったと判断し、
前記集団確認活動の状況が所定の条件を満たすと、前記画面内における前記入力領域の配置関係が変更される、
請求項１〜４のいずれか１項に記載の集団確認活動支援システム。
【請求項６】
前記取得手段は、前記作業予定者の健康状態をさらに取得し、
前記判定手段は、前記健康状態に基づいて、前記作業予定者が作業可能であるか否かをさらに判定する、
請求項１〜５のいずれか１項に記載の集団確認活動支援システム。
【請求項７】
前記登録手段は、前記作業予定者の健康状態の履歴を前記記憶装置に登録し、
前記判定手段は、前記健康状態の履歴に基づいて、前記作業予定者が作業可能であるか否かをさらに判定する、
請求項６に記載の集団確認活動支援システム。
【請求項８】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、を備える、
集団確認活動支援方法。
【請求項９】
複数の作業予定者を含む集団により行われる作業内容に対応した注意事項を前記集団により確認する集団確認活動において用いられる集団確認活動支援プログラムであって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、をコンピュータに実行させる、
集団確認活動支援プログラム。
【請求項１０】
複数の作業予定者を含む集団により行われる作業内容に対応した注意事項を前記集団により確認する集団確認活動において用いられる集団確認活動支援プログラムであって、
前記集団確認活動において、外部からの入力操作を検知する入力ステップと、
前記複数の作業予定者のそれぞれの個人情報に基づいて、前記入力操作を行った入力者が前記複数の作業予定者のいずれであるかをサーバに判定させるために、前記入力者の入力内容を前記サーバに送信する送信ステップと、
前記サーバから前記入力内容の判定結果を受信する受信ステップと、
受信した前記判定結果から、前記判定された作業予定者を前記集団確認活動の参加者として出力する出力する出力ステップと、をコンピュータに実行させる、
集団確認活動支援プログラム。
【発明の詳細な説明】
【技術分野】
【０００１】
本発明は、集団確認活動支援システム、集団確認活動支援方法、及び集団確認活動支援プログラムに関するものである。
【背景技術】
【０００２】
建築工事などの労働現場においては、安全に作業を遂行するために、作業者の人数や経験者の割合などを一定の水準以上に保つ必要がある。さらに、事故のリスクを低減させるために、作業者は危険予知活動等の集団確認活動の実施を徹底するべきである。
特許文献１に係る装置は、危険予知写真を解析することで、出勤した作業者や危険予知活動の参加者を特定することができる。ここで、危険予知写真とは、工事現場における危険ポイント等が記載された危険予知ボードを、作業者が指さし確認している様子を撮影した写真である。危険予知写真には、作業者全員の顔と危険予知ボードが写っている。
【先行技術文献】
【特許文献】
【０００３】
【特許文献１】特開２０１６−２４６８９号公報
【発明の概要】
【発明が解決しようとする課題】
【０００４】
特許文献１に記載されるような危険予知写真を記録することは、危険予知活動等の集団確認活動の実施を促すようにも見える。しかし、形式的に危険予知ボードを指さし確認しても、安全意識を高める効果は薄い。また、そもそも危険予知ボードと作業者の顔が同時に写るように撮影する場合、作業者は危険予知ボードの方を見ることができない。したがって、先行文献に記載されるような危険予知写真が撮影されたとしても、意義のある危険予知活動が行われたかどうかの確認まではできないという問題があった。
【０００５】
本発明は、このような事情に鑑みなされたものであり、集団確認活動に参加した作業予定者を適切に記録することができる集団確認活動支援システム、集団確認活動支援方法、及び集団確認活動支援プログラムを提供するものである。
【課題を解決するための手段】
【０００６】
本発明に係る集団確認活動支援システムは、複数の作業予定者を含む集団により行われる作業内容に対応した注意事項を前記集団により確認する集団確認活動において用いられる集団確認活動支援システムであって、前記複数の作業予定者のそれぞれの個人情報を取得する取得手段と、前記集団確認活動において、外部からの入力操作を検知する入力手段と、前記個人情報に基づいて、前記入力操作を行った入力者が前記複数の作業予定者のいずれであるかを判定する判定手段と、前記判定された作業予定者を前記集団確認活動の参加者として記憶装置に登録する登録手段と、を備えることを、特徴としたものである。
【０００７】
本発明に係る集団確認活動支援方法は、複数の作業予定者を含む集団により行われる作業内容に対応した注意事項を前記集団により確認する集団確認活動において用いられる集団確認活動支援方法であって、前記複数の作業予定者のそれぞれの個人情報を取得する取得ステップと、前記集団確認活動において、外部からの入力操作を検知する入力ステップと、前記個人情報に基づいて、前記入力操作を行った入力者が前記複数の作業予定者のいずれであるかを判定する判定ステップと、前記判定された作業予定者を前記集団確認活動の参加者として登録する登録ステップと、を備えることを、特徴としたものである。
【０００８】
本発明に係る集団確認活動支援プログラムは、複数の作業予定者を含む集団により行われる作業内容に対応した注意事項を前記集団により確認する集団確認活動において用いられる集団確認活動支援プログラムであって、前記複数の作業予定者のそれぞれの個人情報を取得する取得ステップと、前記集団確認活動において、外部からの入力操作を検知する入力ステップと、前記個人情報に基づいて、前記入力操作を行った入力者が前記複数の作業予定者のいずれであるかを判定する判定ステップと、前記判定された作業予定者を前記集団確認活動の参加者として登録する登録ステップと、をコンピュータに実行させることを、特徴としたものである。
【０００９】
本発明に係る集団確認活動支援プログラムは、複数の作業予定者を含む集団により行われる作業内容に対応した注意事項を前記集団により確認する集団確認活動において用いられる集団確認活動支援プログラムであって、前記集団確認活動において、外部からの入力操作を検知する入力ステップと、前記複数の作業予定者のそれぞれの個人情報に基づいて、入力操作を行った入力者が前記複数の作業予定者のいずれであるかをサーバに判定させるために、前記入力者の入力内容を前記サーバに送信する送信ステップと、前記サーバから判定結果を受信する受信ステップと、受信した前記判定結果から、前記判定された作業予定者を前記集団確認活動の参加者として出力する出力するステップと、をコンピュータに実行させることを、特徴としたものである。
【００１０】
本発明に係る集団確認活動支援システムは、集団確認活動において、外部からの入力操作を検知する入力手段と、入力操作を行った入力者が複数の作業予定者のいずれであるかを個人情報に基づいて判定する判定手段と、を備える。また、判定手段によって集団確認活動に参加したと判定された作業予定者を登録する登録手段を備える。
このような構成においては、集団確認活動において入力操作を行った入力者を参加者として登録することができる。したがって、集団確認活動に参加した作業予定者を適切に記録することができる。
【発明の効果】
【００１１】
本発明により、集団確認活動に参加した作業予定者を適切に記録することができる集団確認活動支援システム、集団確認活動支援方法、及び集団確認活動支援プログラムを提供することができる。
【図面の簡単な説明】
【００１２】
【図１】第１の実施形態に係る集団確認活動支援装置の構成を示すブロック図である。
【図２】作業予定者に対して個人情報の入力を求める場合における集団確認活動支援装置の表示形態を示す概略図である。
【図３】集団確認活動時における集団確認活動支援装置の表示形態を示す概略図である。
【図４】基本情報テーブルの一例を示す図である。
【図５】個人情報テーブルの一例を示す図である。
【図６】入力操作前の作業予定者テーブルの一例を示す図である。
【図７】入力操作後の作業予定者テーブルの一例を示す図である。
【図８】作業予定者テーブル作成時の制御手段の制御を示すフロー図である。
【図９】入力操作前の集団確認活動テーブルの一例を示す図である。
【図１０】入力操作後の集団確認活動テーブルの一例を示す図である。
【図１１】集団確認活動時における制御手段の制御を示すフロー図である。
【図１２】第２の実施形態に係る集団確認活動支援システムの構成を示すブロック図である。
【発明を実施するための形態】
【００１３】
以下、本発明を適用した具体的な実施形態について、図面を参照しながら詳細に説明する。ただし、本発明が以下の実施形態に限定される訳ではない。また、説明を明確にするため、以下の記載および図面は、適宜、簡略化されている。
【００１４】
以下に説明される複数の実施形態及び実施例は、独立に実施されることもできるし、適宜組み合わせて実施されることもできる。これら複数の実施形態及び実施例は、互いに異なる新規な特徴を有している。したがって、これら複数の実施形態及び実施例は、互いに異なる目的又は課題を解決することに寄与し、互いに異なる効果を奏することに寄与する。
【００１５】
［第１の実施形態］
まず、図１〜図１１を用いて、本発明の第１の実施形態について説明する。本実施形態において、集団確認活動支援システムは、集団確認活動支援装置に備えられている。図１は、本実施形態に係る集団確認活動支援装置１の構成を示すブロック図である。
【００１６】
集団確認活動支援装置１は、集団確認活動の際に用いられる装置である。集団確認活動とは、例えば危険予知活動などの、複数の作業予定者を含む集団により行われる作業内容に対応した注意事項を集団によって確認する活動の総称である。集団確認活動支援装置１は、コンピュータであり、例えば、タブレット端末やスマートフォンのような携帯可能なコンピュータである。集団確認活動支援装置１は、集団確認活動が行われる場所で用いられる。すなわち通常は、集団確認活動支援装置１は作業現場で用いられる。
【００１７】
図１に示されるように、集団確認活動支援装置１は、制御手段１０と、記憶装置２０と、タッチパネル１０１と、カメラ１０２と、時計１０３と、を備えている。制御手段１０と、記憶装置２０と、タッチパネル１０１と、カメラ１０２と、時計１０３とは、それぞれ電気的に接続されている。
【００１８】
制御手段１０は、例えばＣＰＵ（Central Processing Unit）であり、集団確認活動支援装置１を構成する各要素を直接的または間接的に制御する。制御手段１０は、取得手段１１と、入力手段１２と、判定手段１３と、登録手段１４と、出力手段１５と、入力要求手段１６と、通信手段１７と、を備えている。
【００１９】
記憶装置２０は、例えばフラッシュメモリ等の不揮発性メモリであり、プログラム２１と、個人情報２２と、参加情報２３と、注意事項データ２４と、を記憶している。
プログラム２１は、制御手段１０による制御を実現させるためのコンピュータプログラムであり、本実施形態にかかる集団確認活動支援処理が実装された集団確認活動支援プログラムである。個人情報２２は、作業予定者に固有の情報である。個人情報２２とは、例えば、作業予定者の氏名・生年月日・血液型・緊急連絡先・保有資格等の情報と、顔写真・指紋・声紋等の生体情報と、勤務状態や健康状態等の履歴と、を含むものである。記憶装置２０は、複数の作業予定者のそれぞれの個人情報２２を記憶している。参加情報２３は、集団確認活動に参加したと判定された作業予定者が記録された情報である。注意事項データ２４は、作業内容に対応した注意事項が規定されたテキスト情報等のデータである。
【００２０】
取得手段１１は、記憶装置２０に記憶された複数の作業予定者のそれぞれの個人情報２２を取得する。入力手段１２は、集団確認活動において、外部からの集団確認活動支援装置１に対する入力操作を検知する。判定手段１３は、取得手段１１の取得した個人情報２２に基づいて、外部からの集団確認活動支援装置１に対する入力操作を行った入力者が複数の作業予定者のいずれであるかを判定する。尚、判定手段１３は、個人情報２２に基づいて、当該入力者が複数の作業予定者に含まれるか否かも判定する。登録手段１４は、判定手段１３によって判定された作業予定者を、集団確認活動の参加者として記憶装置２０内の参加情報２３に登録する。
以上のように構成することで、集団確認活動支援装置１は、集団確認活動において入力操作を行った入力者を参加者として登録することができる。したがって、集団確認活動に参加した作業予定者を適切に記録することができる。
【００２１】
また、本実施形態において、入力手段１２は、さらに作業予定者から指定された作業内容の入力を受け付ける。出力手段１５は、注意事項データ２４を参照して、指定された作業内容に対応した注意事項を出力する。このようにすることで、集団確認活動支援装置１は、作業内容に対応した注意事項を集団確認活動の参加者に提供できるため、集団確認活動を円滑に進めることができる。
【００２２】
また、本実施形態において、入力要求手段１６は、判定手段１３により入力者が予め記憶された複数の作業予定者に含まれないと判定された場合に、その入力者に対して個人情報２２の入力を要求する。このようにすることで、集団確認活動支援装置１は、個人情報２２が記憶されていない作業予定者に対して個人情報２２を取得することができ、また、当該作業予定者を登録することができる。例えば、各種労働現場においては、事前登録した作業予定者が作業日当日に急病等により出勤することができず、急遽、代理の作業者が派遣される場合もある。このような場合、代理の作業者は、事前登録されていない場合も多く、通常は、登録作業が煩わしい。本実施形態では、入力要求手段１６により、当該代理の作業者の個人情報の入力を促すため、事前登録されていない代理の作業者の情報の登録が容易となり、かつ、集団確認活動にも円滑に参加することができる。
【００２３】
また、本実施形態において、通信手段１７は、外部の装置やサーバと有線または無線で通信を行うことができる。図１の例では、通信手段１７は、測定装置９０と接続されている。測定装置９０は、例えば体温計や血圧計等の、作業予定者の健康状態を測定する装置である。このような構成においては、取得手段１１は、通信手段１７を介して、測定装置９０から作業予定者の健康状態を取得することができる。
【００２４】
タッチパネル１０１は、集団確認活動支援装置１のユーザによる入力操作を受け付ける。すなわち、入力手段１２は、タッチパネル１０１の画面内に表示された入力領域に対する入力を検知した場合に、外部から入力操作があったと判断する。また、タッチパネル１０１は、ユーザに対して出力手段１５が出力した情報を表示する。
カメラ１０２は、集団確認活動支援装置１のうちタッチパネル１０１が配置されている面に備えられている。したがって、カメラ１０２は、タッチパネル１０１によって集団確認活動支援装置１に入力操作を行う入力者を撮像することができる。
時計１０３は、集団確認活動支援装置１に内蔵されており、年月日及び時刻の情報を有している。
尚、制御手段１０は、記憶装置２０に記憶されたプログラム２１をメモリ（不図示）に読み込み、実行することにより、取得手段１１、入力手段１２、判定手段１３、登録手段１４、出力手段１５、入力要求手段１６及び通信手段１７の各種処理を実現する。
【００２５】
ここで、図２〜図１１を用いて、集団確認活動支援装置１の具体的な構成について説明する。図２及び図３は、集団確認活動支援装置１の外観を示す概略図である。図２は、作業予定者に対して個人情報２２の入力を求める場合における集団確認活動支援装置１の表示形態を表している。図３は、集団確認活動時における集団確認活動支援装置１の表示形態を表している。
【００２６】
作業予定者に対して個人情報２２の入力を求める場合、タッチパネル１０１には、図２に示すように、個人情報入力画面１０１ａが表示される。個人情報入力画面１０１ａには、基本情報テーブル１１０と、個人情報テーブル１２０と、登録ボタン１２５と、切替ボタン１３０とが表示される。
【００２７】
また、集団確認活動時において、タッチパネル１０１には、図３に示すように、集団確認活動画面１０１ｂが表示される。集団確認活動画面１０１ｂには、基本情報テーブル１１０と、切替ボタン１３０と、開始ボタン１４０と、終了ボタン１５０と、作業予定者テーブル１６０と、集団確認活動テーブル１７０と、工程表１８０と、が表示される。
【００２８】
ユーザは、切替ボタン１３０をタップすることで、個人情報入力画面１０１ａと集団確認活動画面１０１ｂとを切り替えることができる。また、ユーザは、基本情報テーブル１１０、個人情報テーブル１２０、作業予定者テーブル１６０、集団確認活動テーブル１７０、及び工程表１８０の内容を、タッチパネル１０１に対する入力操作によって、編集することができる。
【００２９】
＜基本情報テーブル＞
まず、個人情報入力画面１０１ａ（図２参照）及び集団確認活動画面１０１ｂ（図３参照）に表示される基本情報テーブル１１０について説明する。基本情報テーブル１１０は、作業現場や作業日等の基本情報を示すテーブルである。
【００３０】
図４は、基本情報テーブル１１０の一例を示す図である。図４の例では、基本情報テーブル１１０は、作業所名称、実施年月日・実施時間、及び担当職員の情報を備えている。
【００３１】
基本情報テーブル１１０の示す作業所名称とは、作業予定者が作業を行う予定である作業現場を示す情報である。作業所名称の欄には、例えば作業予定者を管理する作業管理者が入力する。あるいは、作業所名称は、予め記憶装置２０に記憶された作業所の候補から選択して入力されるようにしてもよい。または、作業所名称は、通信手段１７が受信したＧＰＳ（Global Positioning System）信号と、予め記憶装置２０に記憶された地図情報に基づいて、自動入力されるようにしてもよい。
【００３２】
基本情報テーブル１１０の示す実施年月日・実施時間とは、集団確認活動を行った時刻及び時間を表す情報である。ユーザが開始ボタン１４０（図３参照）をタップしたときに、時計１０３の示す年月日が実施年月日として自動入力される。また、ユーザが開始ボタン１４０及び終了ボタン１５０（図３参照）をタップしたときに、時計１０３の示す時刻が開始時刻及び終了時刻として自動入力され、開始時刻と終了時刻との差が実施時間として自動入力される。
【００３３】
基本情報テーブル１１０の示す担当職員とは、例えば作業管理者の名前である。担当職員の欄には、作業管理者自らが入力する。あるいは、担当職員は、予め記憶装置２０に記憶された職員の候補から選択して入力されるようにしてもよい。
【００３４】
＜個人情報テーブル＞
次に、個人情報入力画面１０１ａ（図２参照）に表示される個人情報テーブル１２０について説明する。個人情報テーブル１２０は、作業予定者の個人情報２２を示すテーブルである。個人情報テーブル１２０には、作業予定者が自らの個人情報２２を入力することもできる。
【００３５】
図５は、個人情報テーブル１２０の一例を示す図である。図５の例では、個人情報テーブル１２０は、作業予定者の氏名、ふりがな、生年月日、血液型、緊急連絡先、保有資格、顔写真、勤務状況、健康状況等の情報を受け付ける欄を備えている。さらに、個人情報テーブル１２０は、署名欄と、暗証番号欄とを備えている。
なお、勤務状況とは、作業予定者の過去の勤務履歴を示す記録のことを指し、健康状況とは、作業予定者の健康状態の履歴を示す記録のことを指す。健康状態には、例えば血圧や体温等が含まれる。
【００３６】
作業予定者の氏名、ふりがな、生年月日、血液型、緊急連絡先、保有資格、勤務状況、健康状況等の情報は、当該情報を有する作業予定者によって入力される。
なお、勤務履歴を示す勤務状況や健康状態の履歴を示す健康状況は、測定装置９０の測定結果や、後述する作業予定者テーブル１６０の内容等に基づいて自動入力されてもよい。また、生年月日や、血液型、保有資格等の、有限の選択肢から選択可能な情報については、予め記憶装置２０に記憶された当該情報の候補から選択して入力されるようにしてもよい。
【００３７】
顔写真は、カメラ１０２（図２参照）によって撮像され、個人情報テーブル１２０に入力される。なお、集団確認活動支援装置１が作業予定者の声紋や指紋等を認識できる機能を有している場合は、集団確認活動支援装置１はそれらの情報を生体情報として取得し、個人情報テーブル１２０に入力するようにしてもよい。
署名欄は、作業予定者本人の署名を受け付ける欄であり、作業予定者本人によってタッチペン等で入力される。暗証番号欄は、作業予定者が任意に設定した暗証番号を受け付ける欄である。
【００３８】
ユーザによって登録ボタン１２５（図２参照）がタップされると、個人情報テーブル１２０に入力された情報は、個人情報２２として記憶装置２０に格納される。このようにすることで、集団確認活動支援装置１は作業予定者の個人情報２２を取得することができる。また、個人情報２２のうち、生体情報、署名、暗証番号等は、作業予定者の認証を行うための情報として用いることができる。
なお、個人情報テーブル１２０において入力を必須とする欄が空欄である場合や、規約に違反する内容が入力されている場合は、登録ボタン１２５をタップしても、個人情報テーブル１２０に入力された情報を個人情報２２として登録しないようにしてもよい。
【００３９】
＜作業予定者テーブル＞
次に、集団確認活動画面１０１ｂ（図３参照）に表示される作業予定者テーブル１６０について説明する。作業予定者テーブル１６０は、集団確認活動に参加する複数の作業予定者（集団）の情報が記載された表である。作業予定者テーブル１６０は、作業予定者が所定事項を入力することで作成される。
【００４０】
図６は、作業予定者が入力操作を行う前の作業予定者テーブル１６０の一例を示す図である。図６の例では、作業予定者テーブル１６０は、入場ボタン１６１と、退場ボタン１６２と、氏名欄１６３と、年齢欄１６４と、顔写真欄１６５と、健康状態欄１６６と、体調欄１６７と、確認欄１６８と、確認チェック欄１６９と、を備えている。
また、図７は、入力操作後の作業予定者テーブル１６０の一例を示す図である。図７に示すように、作業予定者テーブル１６０には、入場時刻１６１ａと、退場時刻１６２ａと、氏名１６３ａと、年齢１６４ａと、顔写真１６５ａと、健康状態１６６ａと、体調印１６７ａと、確認印１６８ａと、確認チェック１６９ａと、が入力されている。
【００４１】
作業予定者は、図６に示す入場ボタン１６１をタップすることで、作業現場に入場した時刻を記録することができる。入場ボタン１６１がタップされた時刻は、入場時刻１６１ａとして、入場ボタン１６１の配置されていた位置に表示される（図７参照）。
【００４２】
また、作業予定者は、図６に示す氏名欄１６３に自らの氏名１６３ａを入力することができる（図７参照）。図６の例では、氏名欄１６３には、リストボタンが表示されており、当該リストボタンがタップされると、記憶装置２０に記憶された個人情報２２に含まれる氏名リストが表示される。作業予定者は、表示された氏名リストから自分の氏名を選択する。このようにすることで、特に登録された個人情報２２が少ない場合は、作業予定者が自分の氏名を簡単に入力することができる。
なお、このとき、氏名リストに「その他」の選択肢を表示させ、作業予定者が「その他」の選択肢を選択した場合は、任意に氏名を入力できるようにしてもよい。
【００４３】
また、氏名欄１６３には、個人情報２２に含まれる氏名をリスト形式で表示させなくてもよい。すなわち、氏名欄１６３には、作業予定者が氏名をキーボード入力等で入力できるようにしてもよい。このような構成においては、例えば登録された個人情報２２の数が膨大となった場合に、自らの氏名を探す手間を省くことができる。また、個人情報２２を登録した作業予定者のプライバシー保護を図ることができる。
また、このとき、集団確認活動支援装置１は、作業予定者の氏名欄１６３への入力を補助してもよい。例えば、集団確認活動支援装置１は、氏名欄１６３に氏名の一部が入力されたときに、記憶装置２０に記憶された個人情報２２に含まれる氏名に基づいて、氏名１６３ａの候補を提示してもよい。
【００４４】
氏名欄１６３に対して入力操作がなされると、集団確認活動支援装置１は、後述する制御に基づいて、年齢欄１６４、顔写真欄１６５、健康状態欄１６６、体調欄１６７、及び確認欄１６８に対して自動入力を行う。
年齢欄１６４、顔写真欄１６５、健康状態欄１６６、及び体調欄１６７には、それぞれ作業予定者の年齢１６４ａ、顔写真１６５ａ、健康状態１６６ａ、及び体調印１６７ａが入力される。また、確認欄１６８には、作業予定者が作業可能であるか否かを示す確認印１６８ａが入力される（図７参照）。
【００４５】
作業管理者は、全ての作業予定者が入場時刻１６１ａと氏名１６３ａを記録した後、それぞれの作業予定者に対して表示される確認印１６８ａを参照しながら、確認チェック欄１６９に確認チェック１６９ａを入力していく（図７参照）。このようにすることで、作業管理者は、どの作業予定者が入場しているか、また、どの作業予定者が作業可能であるか等を把握することができる。
【００４６】
また、作業を完了した作業者は、図６に示す退場ボタン１６２をタップすることで、作業現場から退場した時刻を記録することができる。退場ボタン１６２がタップされた時刻は、退場時刻１６２ａとなって、退場ボタン１６２の配置されていた位置に表示される（図７参照）。このとき、登録手段１４は、当該作業者の個人情報２２に、入場時刻１６１ａと退場時刻１６２ａとを記録するようにしてもよい。
このような構成においては、集団確認活動支援装置１は、作業者の勤務状況を管理することができる。
【００４７】
ここで、氏名欄１６３に対して入力操作がなされたときの、集団確認活動支援装置１の制御について、図８を用いて説明する。図８は、作業予定者テーブル１６０作成時における制御手段１０の制御を示すフロー図である。
【００４８】
まず、作業予定者が氏名欄１６３に氏名１６３ａを入力すると、図８に示すように、ステップＳ１１０において、入力された氏名１６３ａを含む個人情報２２が記憶装置２０に登録済みであるか否かを判定する。具体的には、記憶装置２０に記憶された個人情報２２を取得手段１１が取得し、入力された氏名１６３ａを含む個人情報２２があるか否かを判定手段１３が判定する。入力された氏名１６３ａを含む個人情報２２がある場合（ステップＳ１１０のＹＥＳ）は、ステップＳ１２０に進む。入力された氏名１６３ａを含む個人情報２２がない場合（ステップＳ１１０のＮＯ）は、ステップＳ１２１に進む。
【００４９】
ステップＳ１２０に進むと、取得手段１１は、氏名１６３ａを含む個人情報２２内の顔写真を取得する。次に、ステップＳ１３０において、カメラ１０２は、氏名１６３ａを入力した作業予定者の顔写真１６５ａを撮像する。顔写真１６５ａは、顔写真欄１６５に表示される（図７参照）。
【００５０】
その後、ステップＳ１４０において、判定手段１３は、ステップＳ１１０で取得した個人情報２２の顔写真とステップＳ１２０で撮像された顔写真とを比較し、それぞれが同一人物の顔であるかを判定する。判定手段１３によってそれぞれが同一人物であると判定された場合（ステップＳ１４０のＹＥＳ）はステップＳ１５０に進み、それぞれが同一人物ではないと判定された場合（ステップＳ１４０のＮＯ）はステップＳ１４１に進む。
【００５１】
ステップＳ１５０に進んだ場合は、出力手段１５は、個人情報２２を作業予定者テーブル１６０に対して出力する。例えば、出力手段１５は、個人情報２２に登録された生年月日と時計１０３の年月日情報に基づいて、作業予定者の年齢１６４ａを算出し、年齢欄１６４に表示する（図７参照）。また、出力手段１５は、個人情報２２に登録された健康状態に基づいて、健康状態１６６ａを健康状態欄１６６に表示する（図７参照）。
【００５２】
その後、ステップＳ１６０において、判定手段１３は、作業予定者の個人情報２２に基づいて、当該作業予定者が作業可能か否かを判定する。作業予定者が作業可能であると判定された場合、確認欄１６８には確認印１６８ａとしてＯＫマークが表示される（図７参照）。一方、作業予定者が一定の制限の下で作業可能であると判定された場合、確認欄１６８にはＯＫマークとともに注意印１６８ｂが表示される（図７参照）。また、作業予定者が作業不可能であると判定された場合、確認欄１６８には確認印１６８ｃとしてＮＧマークが表示される（図７参照）。
【００５３】
具体的には、判定手段１３は、作業予定者の健康状態１６６ａに基づいて、当該作業予定者の体調を判定する。例えば、判定手段１３は、最高血圧が１４０ｍｍＨｇ未満かつ最低血圧が９０ｍｍＨｇ未満かつ体温が３７．０℃未満である場合に、体調が良好であると判定する。
図７の例では、１番目と２番目の作業予定者の血圧・体温が正常値の範囲内であるため、判定手段１３はどちらの作業予定者も体調が良好であり、作業可能であると判定する。このとき、体調欄１６７には、体調印１６７ａとしてＯＫマークが表示される。
一方、３番目の作業予定者は、体温が正常値の範囲外である。このとき、判定手段１３は、３番目の作業予定者が体調不良のため作業不可能であると判定する。このとき、体温を表す欄には警告印１６６ｃが表示され、３番目の作業予定者の体調欄１６７には、体調印１６７ｃとしてＮＧマークが表示される。
【００５４】
なお、判定手段１３は、個人情報２２から作業予定者の健康状態１６６ａの履歴を取得し、当該健康状態１６６ａの履歴に基づいて、当該作業予定者の体調を判定してもよい。例えば、過去に測定された体温の平均が３５℃台であった者の体温が３６．９℃である場合など、測定された体温が平均体温よりも１℃以上高い場合においては、作業可能な健康状態の基準を満たしていても、その者の身体に異変が生じている可能性がある。このようなときにも、集団確認活動支援装置１は、警告印１６６ｂを表示するようにしてもよい。
【００５５】
また、判定手段１３は、作業予定者の年齢１６４ａに基づいて、作業予定者が作業制限を有するか否かを判定する。図７の例では、２番目の作業予定者が年少者であるため、判定手段１３は、２番目の作業予定者が作業制限を有すると判定する。このとき、年齢欄１６４及び確認欄１６８のそれぞれに、注意印１６４ｂ、１６８ｂが表示される。
ステップＳ１６０に進んだ場合は、以上のような制御を行い、フローを終了する。
【００５６】
一方、ステップＳ１２１に進んだ場合は、入力要求手段１６は、氏名１６３ａの入力者に対して、個人情報２２の入力を要求する。例えば、氏名１６３ａの入力者に対して、個人情報２２が入力されていない旨の警告を画面上に表示し、タッチパネル１０１の画面を個人情報入力画面１０１ａ（図２参照）に切り替える。その後、当該個人情報２２を取得したのち、ステップＳ１５０に進む。
このような構成においては、個人情報２２を事前登録していない作業予定者に対して個人情報２２を取得できる。また、入力された個人情報２２に基づいて、作業予定者テーブル１６０の作成を円滑に行うことができる。
【００５７】
一方、ステップＳ１４１に進んだ場合は、判定手段１３は、個人情報２２に含まれる他の情報により人物認証を行う。例えば、集団確認活動支援装置１は、氏名１６３ａを入力した作業予定者に対して暗証番号の入力を求める。
入力された暗証番号が、当該個人情報２２に記録された暗証番号と一致する場合（ステップＳ１４１のＹＥＳ）は、判定手段１３は、当該作業予定者が当該個人情報２２を有する人物であると判定し、ステップＳ１４２に進む。
入力された暗証番号が、当該個人情報２２に記録された暗証番号と一致しない場合（ステップＳ１４１のＮＯ）は、判定手段１３は、当該作業予定者が当該個人情報２２を有する人物ではないと判定し、ステップＳ１５１に進む。ステップＳ１５１に進んだ場合、集団確認活動支援装置１は、作業予定者に対して氏名欄１６３への再入力を要求し、フローを終了する。
【００５８】
ステップＳ１４２に進んだ場合は、登録手段１４は、ステップＳ１３０においてカメラ１０２が撮像した顔写真を個人情報２２に新たに登録し、ステップＳ１５０に進む。このようにすることで、次回以降の人物認証の精度を高めることができる。
【００５９】
＜安全確認テーブル＞
次に、集団確認活動画面１０１ｂ（図３参照）に表示される集団確認活動テーブル１７０について説明する。集団確認活動テーブル１７０は、集団確認活動において、注意事項を確認する際に用いられる表である。集団確認活動テーブル１７０は、作業予定者が所定事項を入力することで作成される。
【００６０】
図９は、作業予定者が入力操作を行う前の集団確認活動テーブル１７０の一例を示す図である。図９の例では、集団確認活動テーブル１７０は、作業工程欄１７１と、想定リスク欄１７２と、可能性欄１７３と、重大性欄１７４と、評価点欄１７５と、危険度欄１７６と、対策欄１７７と、確認チェック欄１７８と、を備えている。
また、図１０は、入力操作後の集団確認活動テーブル１７０の一例を示す図である。図１０に示すように、集団確認活動テーブル１７０には、作業工程１７１ａと、想定リスク１７２ａと、可能性１７３ａと、重大性１７４ａと、評価点１７５ａと、危険度１７６ａと、対策１７７ａと、確認チェック１７８ａと、が入力されている。
【００６１】
作業予定者は、図９に示す作業工程欄１７１に作業工程１７１ａを入力することができる（図１０参照）。図９の例では、作業工程欄１７１には、リストボタンが表示されており、当該リストボタンがタップされると、記憶装置２０に記憶された注意事項データ２４に含まれる作業工程リストが表示される。作業予定者は、表示された作業工程リストから作業工程１７１ａを選択する。このようにすることで、作業予定者は作業工程１７１ａを簡単に入力することができる。
【００６２】
作業工程欄１７１に対して入力操作がなされると、集団確認活動支援装置１は、後述する制御に基づいて、想定リスク欄１７２、可能性欄１７３、重大性欄１７４、評価点欄１７５、危険度欄１７６、及び対策欄１７７に対して自動入力を行う。
想定リスク欄１７２、可能性欄１７３、重大性欄１７４、評価点欄１７５、危険度欄１７６、及び対策欄１７７には、それぞれ想定リスク１７２ａ、可能性１７３ａ、重大性１７４ａ、評価点１７５ａ、危険度１７６ａ、及び対策１７７ａが入力される（図１０参照）。
【００６３】
想定リスク１７２ａ、可能性１７３ａ、重大性１７４ａ、評価点１７５ａ、危険度１７６ａ、及び対策１７７ａは、作業工程１７１ａを行う際の注意事項の例である。当該注意事項は、作業工程１７１ａに対応して規定されており、注意事項データ２４として予め記憶装置２０に記憶されている。
【００６４】
想定リスク１７２ａは、作業工程１７１ａの作業を行う際に起こりうる危険を示している。なお、作業工程１７１ａを行う際に起こりうる危険が複数ある場合は、想定リスクも複数表示される。例えば、図１０の例では、２番目の作業工程１７１ｂである「チャンネルベースの吊り上げ・運搬」に対応する複数の想定リスク１７２ｂが表示されている。
【００６５】
可能性１７３ａは、想定リスク１７２ａが起こる可能性を示している。図１０の例では、可能性１７３ａは３段階評価で表されている。例えば、想定リスク１７２ａが作業工程１７１ａの作業中に常に起こりうる場合は「３」、意識的に時々注意力を働かせることで回避できる場合は「２」、通常の注意力で回避できる場合は「１」とすることができる。
【００６６】
重大性１７４ａは、想定リスク１７２ａの重篤度を示している。図１０の例では、重大性１７４ａは３段階評価で表されている。例えば、想定リスク１７２ａが起こった場合に２週間以上の休業災害を生じる場合は「３」、２週間未満の休業災害を生じる場合は「２」、軽微な災害である場合は「１」とすることができる。
【００６７】
評価点１７５ａは、可能性１７３ａと重大性１７４ａを乗じた点数である。評価点１７５ａが大きいほど、想定リスク１７２ａの危険度が高いと評価できる。
危険度１７６ａは、評価点１７５ａに基づいて求められる想定リスク１７２ａの危険レベルである。図１０の例では、危険度１７６ａは５段階評価で表されている。例えば、評価点１７５ａが「９」の場合の危険度１７６ａは「Ｖ」、評価点１７５ａが「６」の場合の危険度１７６ａは「ＩＶ」、評価点１７５ａが「３」または「４」の場合の危険度１７６ａは「ＩＩＩ」、評価点１７５ａが「２」の場合の危険度１７６ａは「ＩＩ」、評価点１７５ａが「１」の場合の危険度１７６ａは「Ｉ」とすることができる。危険度１７６ａが高ければ高いほど、想定リスク１７２ａの発生可能性が高く、重篤度が大きいため、優先して対策を講じる必要があることがわかる。
対策１７７ａは、想定リスク１７２ａを回避するための対策である。
【００６８】
なお、想定リスク１７２ａ及び対策１７７ａが表示欄に収まりきらない場合は、図１０に示すように、スクロールバー１７２ｃ、１７７ｃが表示される。ユーザは、スクロールバー１７２ｃ、１７７ｃを下方にスクロールすることで、欄に収まらなかった想定リスク１７２ａ及び対策１７７ａの内容を読むことができる。
【００６９】
集団確認活動に参加する作業予定者は、全ての作業工程１７１ａが入力された後、それぞれの作業工程１７１ａに対応する想定リスク１７２ａ、可能性１７３ａ、重大性１７４ａ、評価点１７５ａ、危険度１７６ａ、及び対策１７７ａを確認する。確認後、作業予定者は、確認チェック欄１７８に確認チェック１７８ａを入力していく。
なお、スクロールバー１７２ｃ、１７７ｃが表示されている場合は、当該スクロールバー１７２ｃ、１７７ｃを最下部までスクロールしないと確認チェック１７８ａを入力できないようにしてもよい。
【００７０】
入力手段１２が確認チェック欄１７８に対する入力操作を検知すると、判定手段１３は、個人情報２２に基づいて、入力操作を行った入力者が複数の作業予定者のいずれであるかを判定する。その後、登録手段１４は、判定手段１３によって判定された作業予定者を、集団確認活動の参加者として記憶装置２０の参加情報２３に登録する。
以上のような構成にすることで、集団確認活動支援装置１は、集団確認活動において入力操作を行った入力者を参加者として登録することができる。したがって、集団確認活動に参加した作業予定者を適切に記録することができる。
【００７１】
ここで、確認チェック欄１７８に対する入力操作がなされたとき、すなわち入力手段１２が確認チェック欄１７８に対する入力操作を検知したときの、集団確認活動支援装置１の制御について、図１１を用いて説明する。図１１は、集団確認活動における制御手段１０の制御を示すフロー図である。
【００７２】
まず、集団確認活動に参加した作業予定者が確認チェック欄１７８に確認チェック１７８ａを入力すると、図１１に示すように、ステップＳ２１０において、判定手段１３は、当該入力を行った入力者を認証する。例えば、判定手段１３は、作業予定者の生体情報に基づいて、当該入力者を認証する。具体的には、判定手段１３は、カメラ１０２の撮像した顔写真と、個人情報２２に含まれている顔写真とを比較して、入力者の認証を行う。なお、判定手段１３が入力者の顔を認証できない場合は、入力者に対して氏名と暗証番号を入力させて入力者を認証してもよい。その後、ステップＳ２２０に進む。
【００７３】
ステップＳ２２０において、判定手段１３は、認証した入力者が、作業予定者テーブル１６０に入力された作業予定者のいずれであるかを判定する。判定手段１３が、入力者が作業予定者テーブル１６０に入力された作業予定者のいずれであると判定した場合（ステップＳ２２０のＹＥＳ）は、ステップＳ２３０に進む。判定手段１３が、入力者が作業予定者テーブル１６０に入力された作業予定者に含まれないと判定した場合（ステップＳ２２０のＮＯ）は、ステップＳ２３１に進む。
【００７４】
ステップＳ２３０に進んだ場合、登録手段１４は、判定された当該作業予定者を集団確認活動の参加者として記憶装置２０の参加情報２３に登録し、フローを終了する。
このような構成をとることで、作業予定者テーブル１６０に登録された作業予定者のうち、集団確認活動に参加した作業予定者を適切に記録することができる。
【００７５】
一方、ステップＳ２２１に進んだ場合、判定手段１３は、確認チェック１７８ａの入力者の個人情報２２が記憶装置２０に登録されているか否かを判定する。確認チェック１７８ａの入力者の個人情報２２が記憶装置２０に登録されている場合（ステップＳ２２１のＹＥＳ）はステップＳ２２２に進む。確認チェック１７８ａの入力者の個人情報２２が記憶装置２０に登録されていない場合（ステップＳ２２１のＮＯ）はステップＳ２２３に進む。
【００７６】
ステップＳ２２２に進んだ場合は、取得手段１１は確認チェック１７８ａの入力者の氏名、年齢、顔写真、健康状態等を取得し、作業予定者テーブル１６０に追加する。その後、ステップＳ２３０に進み、当該入力者を集団確認活動の参加者として記憶装置２０の参加情報２３に登録する。
このような構成においては、集団確認活動に参加した作業予定者が作業予定者テーブル１６０への入力を忘れた場合であっても、当該作業予定者を作業予定者テーブル１６０に追加することができる。したがって、作業予定者テーブル１６０が不完全に作成されていた場合であっても、作業予定者テーブル１６０の内容を補完することができる。
【００７７】
ステップＳ２２３に進んだ場合は、入力要求手段１６は、確認チェック１７８ａの入力者に対して、個人情報２２の入力を要求する。例えば、確認チェック１７８ａの入力者に対して、個人情報２２が入力されていない旨の警告を画面上に表示し、タッチパネル１０１の画面を個人情報入力画面１０１ａ（図２参照）に切り替える。その後、当該個人情報２２を取得したのち、ステップＳ２２２に進む。
このような構成においては、個人情報２２を事前登録していない作業予定者に対して個人情報２２を取得できる。また、入力された個人情報２２に基づいて、作業予定者テーブル１６０の作成を円滑に行うことができる。さらに、その後当該入力者を集団確認活動の参加者として記憶装置２０の参加情報２３に登録することで、集団確認活動に参加した作業予定者を適切に記録することができる。
【００７８】
＜工程表＞
次に、集団確認活動画面１０１ｂ（図３参照）に表示される工程表１８０について説明する。工程表１８０は、作業工程等の作業状況を記録するための表である。
工程表１８０には、作業予定者及び作業管理者が、作業工程や作業中における記録等を自由に記入することができる。また、工程表１８０には、作業風景の写真等を表示できるようにしてもよい。また、工程表１８０の内容は、個人情報２２の勤務状況と関連付けて保存されてもよい。
【００７９】
なお、本実施形態は上記の例に限られたものではなく、趣旨を逸脱しない範囲で適宜変更することが可能である。
例えば、上記の例では、集団確認活動テーブル１７０に作業内容が入力されると、当該作業内容に対応した注意事項が自動で表示される構成について説明したが、敢えて、注意事項が自動で表示されない構成にしてもよい。このような構成においては、集団確認活動の参加者に対して、想定リスクや対策等を考えさせることができるため、集団確認活動をより有意義なものにすることができる。
【００８０】
また、集団確認活動テーブル１７０に作業内容が入力されると、当該作業内容に対応した注意事項とそうでない事項とを画面上に表示させ、参加者に正しい注意事項をクイズ形式で選択入力させるようにしてもよい。このような構成においては、集団確認活動の参加者に対して、想定リスクや対策等を楽しみながら考えさせることができるため、集団確認活動への参加をより能動的にさせることができる。
【００８１】
また、集団確認活動テーブル１７０の各欄には、ユーザが諸事項を自由に入力できるようにしてもよい。このような構成においては、集団確認活動の参加者が新たな想定リスクや対策等を想到した場合に、それらを集団確認活動テーブル１７０に入力し、共有することができる。また、この場合、登録手段１４は、当該入力された内容を注意事項データ２４に登録するようにしてもよい。
【００８２】
また、注意事項データ２４に規定される作業工程１７１ａ及びそれに対応した注意事項は、集団確認活動支援装置１のユーザによって任意に編集できるようにしてもよい。
例えば、集団確認活動支援装置１は、作業現場に適した作業工程や注意事項を表示させるようにしてもよい。具体的には、例えば建設現場が作業現場である場合は、建設現場に特有の作業工程や、天候や気温等の環境に基づいた注意事項を表示させるようにしてもよい。また、パン工場等の衛生面が重視される現場が作業現場である場合は、パン工場に特有の作業工程や、食中毒などの注意事項を表示させるようにしてもよい。
【００８３】
また、ステップＳ１２０〜Ｓ１４０やステップＳ２１０において、判定手段１３は、顔写真以外の生体情報に基づいて認証を行ってもよい。例えば、集団確認活動支援装置１がマイクを備えている場合は、当該マイクによって取得された声紋に基づいて認証を行ってもよい。また、集団確認活動支援装置１が指紋認識手段を備えている場合は、当該指紋認識手段によって認識された指紋に基づいて認証を行ってもよい。
【００８４】
また、集団確認活動の状況が所定の条件を満たすと、タッチパネルの画面内に表示された入力領域について、タッチパネル１０１の画面内における配置関係が変更されるようにしてもよい。具体的には、例えば集団確認活動の状況が所定の条件を満たすと、作業予定者テーブル１６０や集団確認活動テーブル１７０等の入力領域の、集団確認活動画面１０１ｂ内における配置関係を変更するようにしてもよい。あるいは、作業予定者テーブル１６０や集団確認活動テーブル１７０内の各欄の配置を変更するようにしてもよい。ここで、集団確認活動の状況が所定の条件を満たす場合とは、例えば集団確認活動の活動回数が所定回数に達した場合や、集団確認活動の実施月が変わった場合等を指す。
このような構成においては、作業予定者が毎回同じ箇所に同じ入力操作を行うことができないため、作業予定者が機械的に集団確認活動支援装置１への入力操作を行うことを抑制できる。したがって、集団確認活動の形骸化を抑制することができる。
【００８５】
［第２の実施形態］
次に、図１２を用いて、本発明の第２の実施形態について説明する。図１２は、本実施形態に係る集団確認活動支援システム２の構成を示すブロック図である。図１２に示すように、集団確認活動支援システム２は、サーバ２１０と、記憶装置２２０と、作業現場に備えられた端末２３０及び測定装置２９０と、ネットワーク２４０と、を備えている。
【００８６】
サーバ２１０は、取得手段２１１と、入力手段２１２と、判定手段２１３と、登録手段２１４と、出力手段２１５と、入力要求手段２１６と、通信手段２１７と、を備えている。記憶装置２２０は、例えばフラッシュメモリ等の不揮発性メモリであり、プログラム２２１と、個人情報２２２と、参加情報２２３と、注意事項データ２２４と、を記憶している。
本実施形態におけるサーバ２１０及びサーバ２１０が備える各要素は、それぞれ第１の実施形態における制御手段１０及び制御手段１０が備える各要素に対応した制御を行う。また、本実施形態における記憶装置２２０及び記憶装置２２０が備える各要素は、それぞれ第１の実施形態における記憶装置２０及び記憶装置２０が備える各要素に対応した制御を行う。但し、通信手段２１７は、端末２３０から送信された入力内容を、ネットワーク２４０を介して受信し、受信した入力内容を入力手段２１２へ出力する。入力手段２１２は、通信手段２１７から出力された入力内容を、上述した入力操作として検知する。また、出力手段２１５は、上述した各種出力内容を通信手段２１７へ出力し、通信手段２１７は、受け付けた出力内容を、ネットワーク２４０を介して端末２３０へ送信する。また、サーバ２１０の制御装置（不図示）は、記憶装置２２０に記憶されたプログラム２２１をメモリ（不図示）に読み込み、実行することにより、取得手段２１１、入力手段２１２、判定手段２１３、登録手段２１４、出力手段２１５、入力要求手段２１６及び通信手段２１７の各種処理を実現する。
【００８７】
端末２３０は、コンピュータであり、例えば、タブレット端末やスマートフォンのような携帯可能なコンピュータである。端末２３０は、タッチパネル２３１と、カメラ２３２と、入出力制御手段２３３と、プログラム２３４と、通信手段２３７と、を備える。端末２３０は、通信手段２３７を介して測定装置２９０に接続されている。
本実施形態におけるタッチパネル２３１、カメラ２３２、通信手段２３７、及び測定装置２９０は、それぞれ第１の実施形態におけるタッチパネル１０１、カメラ１０２、通信手段１７、及び測定装置９０に対応した機能を有する。
【００８８】
入出力制御手段２３３は、例えばＣＰＵであり、端末２３０を構成する各要素を直接的または間接的に制御する。具体的には、入出力制御手段２３３は、集団確認活動において、タッチパネル２３１に対して外部からの入力操作を検知する。また、入出力制御手段２３３は、複数の作業予定者のそれぞれの個人情報２２２に基づいて、入力操作を行った入力者が複数の作業予定者のいずれであるかをサーバ２１０に判定させるために、入力者の入力内容をサーバ２１０に送信する。また、入出力制御手段２３３は、サーバ２１０から判定結果を受信し、受信した判定結果から、判定された作業予定者を集団確認活動の参加者としてタッチパネル２３１に出力する。
プログラム２３４は、入出力制御手段２３３による制御を実現させるためのコンピュータプログラムであり、本実施形態にかかる集団確認活動支援処理が実装された集団確認活動支援プログラムである。尚、プログラム２３４は、端末２３０内の記憶装置（不図示）に記憶されている。
尚、入出力制御手段２３３は、当該記憶装置に記憶されたプログラム２３４をメモリ（不図示）に読み込み、実行することにより、上述した処理を実現する。
【００８９】
以上のような構成においても、集団確認活動支援システム２は、集団確認活動において端末２３０に入力操作を行った入力者を参加者として登録することができる。したがって、集団確認活動に参加した作業予定者を適切に記録することができる。
また、本実施形態の構成においては、端末２３０が必須とする処理を、第１の実施形態における集団確認活動支援装置１と比べて少なくすることができる。
【００９０】
また、上記に示した全ての実施形態において、様々な処理を行う機能ブロックとして図面に記載される各要素は、ハードウェア的には、ＣＰＵ、メモリ、その他の回路で構成することができ、ソフトウェア的には、メモリにロードされたプログラム等によって実現される。したがって、これらの機能ブロックがハードウェアのみ、ソフトウェアのみ、又はそれらの組合せによっていろいろな形で実現できることは当業者には理解されるところであり、いずれかに限定されるものではない。
【００９１】
また、上記のプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００９２】
１  集団確認活動支援装置
２  集団確認活動支援システム
１０  制御手段
１１、２１１  取得手段
１２、２１２  入力手段
１３、２１３  判定手段
１４、２１４  登録手段
１５、２１５  出力手段
１６、２１６  入力要求手段
１７、２１７、２３７  通信手段
２０、２２０  記憶装置
２１、２２１  プログラム
２２、２２２  個人情報
２３、２２３  参加情報
２４、２２４  注意事項データ
９０、２９０  測定装置
１０１、２３１  タッチパネル
１０１ａ  個人情報入力画面
１０１ｂ  集団確認活動画面
１０２、２３２  カメラ
１０３    時計
１１０    基本情報テーブル
１２０    個人情報テーブル
１２５    登録ボタン
１３０    切替ボタン
１４０    開始ボタン
１５０    終了ボタン
１６０    作業予定者テーブル
１６１    入場ボタン
１６１ａ  入場時刻
１６２    退場ボタン
１６２ａ  退場時刻
１６３    氏名欄
１６３ａ  氏名
１６４    年齢欄
１６４ａ  年齢
１６４ｂ、１６８ｂ  注意印
１６５    顔写真欄
１６５ａ  顔写真
１６６    健康状態欄
１６６ａ  健康状態
１６６ｃ  警告印
１６７    体調欄
１６７ａ、１６７ｂ  体調印
１６８    確認欄
１６８ａ、１６８ｃ  確認印
１６９    確認チェック欄
１６９ａ  確認チェック
１７０    集団確認活動テーブル
１７１    作業工程欄
１７１ａ、１７１ｂ  作業工程
１７２    想定リスク欄
１７２ａ、１７２ｂ  想定リスク
１７２ｃ、１７７ｃ  スクロールバー
１７３    可能性欄
１７３ａ  可能性
１７４    重大性欄
１７４ａ  重大性
１７５    評価点欄
１７５ａ  評価点
１７６    危険度欄
１７７    対策欄
１７７ａ  対策
１７８    確認チェック欄
１７８ａ  確認チェック
１８０    工程表
２１０    サーバ
２３０    端末
２３３    入出力制御手段
２３４    プログラム
２４０    ネットワーク
【図１】
2019174945.tif 000003
【図２】
2019174945.tif 000004
【図３】
2019174945.tif 000005
【図４】
2019174945.tif 000006
【図５】
2019174945.tif 000007
【図６】
2019174945.tif 000008
【図７】
2019174945.tif 000009
【図８】
2019174945.tif 000010
【図９】
2019174945.tif 000011
【図１０】
2019174945.tif 000012
【図１１】
2019174945.tif 000013
【図１２】
2019174945.tif 000014
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
複数の作業予定者を含む集団により行われる作業内容に対応した注意事項を前記集団により確認する集団確認活動において用いられる集団確認活動支援システムであって、
前記複数の作業予定者のそれぞれの個人情報を取得する取得手段と、
前記集団確認活動において、外部からの入力操作を検知する入力手段と、
前記個人情報に基づいて、前記入力操作を行った入力者が前記複数の作業予定者のいずれであるかを判定する判定手段と、
前記判定された作業予定者を前記集団確認活動の参加者として記憶装置に登録する登録手段と、
前記記憶装置に接続された出力手段と、を備え、
前記記憶装置は、作業内容に対応した注意事項が規定された注意事項データを予め記憶し、
前記入力手段は、前記作業予定者から作業内容の指定を受け付け、
前記出力手段は、前記注意事項データを参照し、前記指定された作業内容に対応した注意事項を出力する、
集団確認活動支援システム。
【請求項２】
複数の作業予定者を含む集団により行われる作業内容に対応した注意事項を前記集団により確認する集団確認活動において用いられる集団確認活動支援システムであって、
前記複数の作業予定者のそれぞれの個人情報を取得する取得手段と、
前記集団確認活動において、外部からの入力操作を検知する入力手段と、
前記個人情報に基づいて、前記入力操作を行った入力者が前記複数の作業予定者のいずれであるかを判定する判定手段と、
前記判定された作業予定者を前記集団確認活動の参加者として記憶装置に登録する登録手段と、を備え、
前記入力手段は、タッチパネルの画面内に表示された入力領域に対する入力を検知した場合に、外部から前記入力操作があったと判断し、
前記集団確認活動の状況が所定の条件を満たすと、前記画面内における前記入力領域の配置関係が変更される、
集団確認活動支援システム。
【請求項３】
複数の作業予定者を含む集団により行われる作業内容に対応した注意事項を前記集団により確認する集団確認活動において用いられる集団確認活動支援システムであって、
前記複数の作業予定者のそれぞれの個人情報を取得する取得手段と、
前記集団確認活動において、外部からの入力操作を検知する入力手段と、
前記個人情報に基づいて、前記入力操作を行った入力者が前記複数の作業予定者のいずれであるかを判定する判定手段と、
前記判定された作業予定者を前記集団確認活動の参加者として記憶装置に登録する登録手段と、を備え、
前記取得手段は、前記作業予定者の健康状態をさらに取得し、
前記判定手段は、前記健康状態に基づいて、前記作業予定者が作業可能であるか否かをさらに判定する、
集団確認活動支援システム。
【請求項４】
前記登録手段は、前記作業予定者の健康状態の履歴を前記記憶装置に登録し、
前記判定手段は、前記健康状態の履歴に基づいて、前記作業予定者が作業可能であるか否かをさらに判定する、
請求項３に記載の集団確認活動支援システム。
【請求項５】
前記判定手段により前記入力者が前記複数の作業予定者に含まれないと判定された場合に、当該入力者に対して、前記個人情報の入力を要求する入力要求手段をさらに備える、
請求項１〜４のいずれか１項に記載の集団確認活動支援システム。
【請求項６】
前記個人情報は、前記作業予定者の生体情報を含み、
前記判定手段は、前記生体情報に基づいて前記入力者の判定を行う、
請求項１〜５のいずれか１項に記載の集団確認活動支援システム。
【請求項７】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、
出力ステップと、を備え、
前記入力ステップにおいては、前記作業予定者から作業内容の指定を受け付け、
前記出力ステップにおいては、作業内容に対応した注意事項が規定された注意事項データを参照し、前記指定された作業内容に対応した注意事項を出力する、
集団確認活動支援方法。
【請求項８】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、
変更ステップと、を備え、
前記入力ステップにおいては、タッチパネルの画面内に表示された入力領域に対する入力を検知した場合に、外部から前記入力操作があったと判断し、
前記変更ステップにおいては、前記集団確認活動の状況が所定の条件を満たした場合に、前記画面内における前記入力領域の配置関係を変更する、
集団確認活動支援方法。
【請求項９】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、を備え、
前記取得ステップにおいては、前記作業予定者の健康状態をさらに取得し、
前記判定ステップにおいては、前記健康状態に基づいて、前記作業予定者が作業可能であるか否かをさらに判定する、
集団確認活動支援方法。
【請求項１０】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、
出力ステップと、をコンピュータに実行させ、
前記入力ステップにおいては、前記作業予定者から作業内容の指定を受け付け、
前記出力ステップにおいては、作業内容に対応した注意事項が規定された注意事項データを参照し、前記指定された作業内容に対応した注意事項を出力する、
集団確認活動支援プログラム。
【請求項１１】
複数の作業予定者を含む集団により行われる作業内容に対応した注意事項を前記集団により確認する集団確認活動において用いられる集団確認活動支援方法であって、
前記複数の作業予定者のそれぞれの個人情報を取得する取得ステップと、
前記集団確認活動において、外部からの入力操作を検知する入力ステップと、
前記個人情報に基づいて、前記入力操作を行った入力者が前記複数の作業予定者のいずれであるかを判定する判定ステップと、
前記判定された作業予定者を前記集団確認活動の参加者として登録する登録ステップと、をコンピュータに実行させ、
前記取得ステップにおいては、前記作業予定者の健康状態をさらに取得し、
前記判定ステップにおいては、前記健康状態に基づいて、前記作業予定者が作業可能であるか否かをさらに判定する、
集団確認活動支援プログラム。
【請求項１２】
複数の作業予定者を含む集団により行われる作業内容に対応した注意事項を前記集団により確認する集団確認活動において用いられる集団確認活動支援プログラムであって、
前記集団確認活動において、外部からの入力操作を検知する入力ステップと、
前記複数の作業予定者のそれぞれの個人情報に基づいて、前記入力操作を行った入力者が前記複数の作業予定者のいずれであるかをサーバに判定させるために、前記入力者の入力内容を前記サーバに送信する送信ステップと、
前記サーバから前記入力内容の判定結果を受信する受信ステップと、
受信した前記判定結果から、前記判定された作業予定者を前記集団確認活動の参加者として出力する出力ステップと、をコンピュータに実行させ、
前記入力ステップにおいては、前記作業予定者から作業内容の指定を受け付け、
前記送信ステップにおいては、作業内容に対応した注意事項が規定された注意事項データを前記サーバに参照させて前記指定された作業内容に対応する注意事項を前記サーバに出力させるために、前記指定された作業内容を前記サーバにさらに送信し、
前記受信ステップにおいては、前記指定された作業内容に対応した注意事項を前記サーバからさらに受信し、
前記出力ステップにおいては、受信した前記注意事項をさらに出力する、
集団確認活動支援プログラム。
【請求項１３】
複数の作業予定者を含む集団により行われる作業内容に対応した注意事項を前記集団により確認する集団確認活動において用いられる集団確認活動支援プログラムであって、
前記集団確認活動において、外部からの入力操作を検知する入力ステップと、
前記複数の作業予定者の健康状態を取得する取得ステップと、
前記複数の作業予定者のそれぞれの個人情報に基づいて、前記入力操作を行った入力者が前記複数の作業予定者のいずれであるかをサーバに判定させるために、前記入力者の入力内容を前記サーバに送信する送信ステップと、
前記サーバから前記入力内容の判定結果を受信する受信ステップと、
受信した前記入力内容の判定結果から、前記判定された作業予定者を前記集団確認活動の参加者として出力する出力ステップと、をコンピュータに実行させ、
前記送信ステップにおいては、前記健康状態に基づいて前記作業予定者が作業可能であるか否かを前記サーバに判定させるために、前記健康状態を前記サーバにさらに送信し、
前記受信ステップにおいては、前記作業予定者が作業可能であるか否かの判定結果を前記サーバからさらに受信し、
前記出力ステップにおいては、受信した前記作業予定者が作業可能であるか否かの判定結果をさらに出力する、
集団確認活動支援プログラム。